(57)【要約】【課題】  設置と撤去を容易にし、撤去後に傷や汚れが残らないようにする。【解決手段】  キーボックス１は、鍵を取り出し可能に収納するキーボックス本体２と、キーボックス本体２に長手方向の一端側が取り付けられた繋ぎ部材４と、繋ぎ部材４の長手方向の他端側に取り付けられたアンカー部材６とを備える。キーボックス本体２の後側面には、磁石３を設ける。繋ぎ部材４は、長手方向中間部に、ドア１０２を閉めた状態のときにドア１０２とドア枠１０３との間に形成される隙間に配置可能な厚み寸法のベルトとし、アンカー部材６はその隙間を通過し得ないサイズの磁石とする。キーボックス１は、ドア１０２を開けた状態で、繋ぎ部材４で繋がれているキーボックス本体２とアンカー部材６とを、ドア１０２の出入口の外側に向く面と、内側に向く面に、磁力により吸着させて取り付け、その後、ドア１０２を閉めることで、ドア１０２への設置を行う。【選択図】図７
2018197441.tif 000002
【特許請求の範囲】
【請求項１】
鍵を取り出し可能に収納するキーボックス本体と、
前記キーボックス本体の後側面に取り付けられた付着手段と、
長手方向の一端側が前記キーボックス本体に取り付けられた繋ぎ部材と、
前記繋ぎ部材の長手方向の他端側に取り付けられたアンカー部材と、を備え、
前記付着手段は、対象となる出入口のドアまたはドア枠または前記ドア枠の周囲の壁に剥離可能に付着する機能を備え、
前記繋ぎ部材は、長手方向の中間部に、前記出入口を閉じた状態の前記ドアと前記ドア枠との隙間に配置可能な隙間配置部を備え、
前記アンカー部材は、前記出入口を閉じた状態の前記ドアと前記ドア枠との隙間を通過し得ないサイズを有すること
を特徴とするキーボックス。
【請求項２】
前記繋ぎ部材は、繊維を編んだ構造を有するベルトとした
請求項１記載のキーボックス。
【請求項３】
前記キーボックス本体は、後側面に、前記繋ぎ部材を配置可能な溝を左右方向の全長に亘り備え、
前記繋ぎ部材の長手方向一端側は、前記溝の左右方向の途中位置に設けられた取付部に、左右方向に回動可能に取り付けられた
請求項１または２記載のキーボックス。
【請求項４】
前記付着手段は磁石とし、前記アンカー部材は磁石とした
請求項１から請求項３のいずれか一項に記載のキーボックス。
【発明の詳細な説明】
【技術分野】
【０００１】
本発明は、出入口のドアまたは該ドアの近傍に取り付けて、該ドアの錠の鍵の保管に用いるキーボックスに関するものである。
【背景技術】
【０００２】
賃貸や販売などを目的として住宅の内覧を行う場合であって、管理者が立ち会わない場合は、内覧者に対象となる住宅の出入口の錠の鍵（以下、単に、住宅の鍵という）を貸し出す処理が必要になる。
【０００３】
このような内覧者に対する住宅の鍵の貸し出しを行うために係員を配したのでは、人件費がかかってしまう。そのため、住宅の鍵の貸し出しは、無人で実施することが望まれる。
【０００４】
従来、共同利用物の鍵の貸し出しと返却とを自動で行うための装置としては、たとえば、キーボックスを利用した共同利用物貸出返却システムが提案されている（たとえば、特許文献１参照）。
【０００５】
これは、キーボックスが共同利用物の鍵が収納される鍵収納箱を備えた構成とされ、利用予約をしている利用者による認証が行われるときにのみ、鍵収納箱の扉が開いて鍵の取り出しが可能になるものとされている。
【０００６】
ところで、キーボックスは、一般に、キーボックスごと鍵が持ち去られる虞を回避するための対策として、建築物の壁などの固定部に対して取り付けられることが多い。
【０００７】
キーボックスを建築物の固定部に取り付ける手段としては、キーボックスをねじやボルトを介して固定部に固定する構成や、接着剤によりキーボックスを固定部に接着する構成が、従来、一般的に採用されている。
【先行技術文献】
【特許文献】
【０００８】
【特許文献１】特開２００６−７９１９９号公報
【発明の概要】
【発明が解決しようとする課題】
【０００９】
ところで、内覧に供されていた住宅について、住宅の賃貸が開始された場合や、住宅の売却が行われた場合は、その後、内覧のための鍵の貸し出しは不要になる。よって、この場合は、内覧者に対する住宅の鍵の貸し出しを行う目的で設けられたキーボックスは、撤去される。
【００１０】
したがって、内覧者に対して住宅の鍵の貸し出しを行うためのキーボックスは、住宅に対して一時的な設置を行うことができればよい。
【００１１】
ところが、キーボックスを建築物の固定部に取り付ける場合に従来採られている手法のうち、キーボックスをねじやボルトを介して固定部に固定する手法では、キーボックスを設置する際には、キーボックスの設置個所にねじ穴を設ける必要がある。また、ねじ穴にねじやボルトを締めこむ作業は、使用するねじやボルトの本数分、繰り返し行う必要がある。また、キーボックスの撤去時には、ねじやボルトを緩めて取り外す作業を、使用したねじやボルトの本数分繰り返し行う必要がある。よって、ねじやボルトを用いるキーボックスの取り付け手法は、キーボックスの設置と撤去に手間を要するというのが実情である。更に、この手法の場合は、キーボックスを撤去した後、キーボックスが設置されていた個所には、ねじ穴が傷として残ってしまう。
【００１２】
接着剤でキーボックスを接着して固定部への取り付けを行う手法の場合は、接着剤を塗布する面の前処理、キーボックスの接着後に所定の養生時間が経過するまでキーボックスが動かないように保持する手段を取り付ける処理、その保持手段を後で取り外す処理などが必要になるため、キーボックスの設置に手間を要する。
【００１３】
また、キーボックスを撤去するときには、固化した接着剤を強制的に剥がすことになるので、キーボックスの設置されていた個所に、接着剤と共に塗装や壁材の剥がれが生じることで傷が生じたり、あるいは、除去しきれない接着剤による汚れが生じたりする可能性がある。
【００１４】
そのため、従来の取付手法で建築物の固定部に取り付けられるキーボックスは、キーボックスの設置と撤去とを行った後に、キーボックスが設置されていた個所について、キーボックス設置前の状態と同様の傷や汚れのない状態を回復することは難しいというのが実情である。
【００１５】
しかし、内覧のためのキーボックスの設置と撤去に伴い住宅に傷や汚れが発生することは、住宅の所有者にとって好ましいことではない。
【００１６】
そこで、本発明は、設置と撤去に要する手間の削減化を図ることができると共に、撤去後に傷や汚れが残ることを抑制することができるキーボックスを提供しようとするものである。
【課題を解決するための手段】
【００１７】
本発明は、前記課題を解決するために、鍵を取り出し可能に収納するキーボックス本体と、前記キーボックス本体の後側面に取り付けられた付着手段と、長手方向の一端側が前記キーボックス本体に取り付けられた繋ぎ部材と、前記繋ぎ部材の長手方向の他端側に取り付けられたアンカー部材と、を備え、前記付着手段は、対象となる出入口のドアまたはドア枠または前記ドア枠の周囲の壁に剥離可能に付着する機能を備え、前記繋ぎ部材は、長手方向の中間部に、前記出入口を閉じた状態の前記ドアと前記ドア枠との隙間に配置可能な隙間配置部を備え、前記アンカー部材は、前記出入口を閉じた状態の前記ドアと前記ドア枠との隙間を通過し得ないサイズを有する構成を備えたキーボックスとする。
【００１８】
前記繋ぎ部材は、繊維を編んだ構造を有するベルトとした構成としてある。
【００１９】
前記キーボックス本体は、後側面に、前記繋ぎ部材を配置可能な溝を左右方向の全長に亘り備え、前記繋ぎ部材の長手方向一端側は、前記溝の左右方向の途中位置に設けられた取付部に、左右方向に回動可能に取り付けられた構成としてある。
【００２０】
前記付着手段は磁石とし、前記アンカー部材は磁石とした構成としてある。
【発明の効果】
【００２１】
本発明のキーボックスによれば、設置と撤去に要する手間の削減化を図ることができると共に、撤去後に傷や汚れが残ることを抑制することができる。
【図面の簡単な説明】
【００２２】
【図１】キーボックスの第１実施形態を示す概略正面図である。
【図２】図１のキーボックスの概略背面図である。
【図３】キーボックス本体の概略側面図である。
【図４】図１のＡ−Ａ方向矢視図である。
【図５】図４のＢ−Ｂ位置での切断側面図である。
【図６】図１のキーボックスの使用状態の例を示す概要図である。
【図７】図６のＣ−Ｃ方向矢視拡大図である。
【図８】図１のキーボックスが煙返しを備えたドアに取り付けられた状態を示す図である。
【図９】キーボックスの第２実施形態を示す図である。
【発明を実施するための形態】
【００２３】
以下、本発明を実施するための形態を図面を参照して説明する。
【００２４】
［第１実施形態］
図１乃至図８は、本発明のキーボックスの第１実施形態を示すものである。
【００２５】
図１はキーボックスの第１実施形態を示す概略正面図である。図２は、図１のキーボックスの概略背面図である。図３は、図１のキーボックスにおけるキーボックス本体の概略側面図である。図４は、図１のＡ−Ａ方向矢視図である。図５は、キーボックス本体における繋ぎ部材が取り付けられた部分を示すもので、図４におけるＢ−Ｂ位置での切断側面図である。
【００２６】
図６は、キーボックスの使用状態の例を示す概要図である。図７は、図６のＣ−Ｃ方向矢視拡大図である。図８は、ドアが煙返しを備えた形式の場合のキーボックスの使用状態の例を示す図７に対応する図である。
【００２７】
本実施形態のキーボックスは、図１乃至図８に符号１で示すものである。また、本実施形態では、一例として、集合住宅のような住宅で広く採用されているスチール製のドアに取り付けて使用するキーボックス１について示す。
【００２８】
なお、説明の便宜上、本実施形態のキーボックス１は、図１における紙面の手前側、および、図３における右側を、キーボックス１の前側といい、図１における紙面の奥側、および、図３における左側を、キーボックス１の後側といい、図１における図上の左右方向を、キーボックス１の左右方向として説明する。
【００２９】
ここで、先ず、図６乃至図８を用いて、本実施形態のキーボックス１を適用する対象となる出入口１０１のドア１０２について概説する。なお、図６乃至図８では、一例として、外開きで、且つ外から見て左開きのドア１０２について示してある。
【００３０】
図６に示すように、建築物の壁１００に備えた出入口１０１には、ドア枠１０３が取り付けられ、このドア枠１０３に、ドア１０２が、ヒンジ１０４を介して開閉可能に取り付けられている。また、図７に示すように、ドア枠１０３には、戸当たり１０５が設けられている。
【００３１】
図６において、１０６はドアノブ、１０７はドア１０２に備えた錠、１０８はドア１０２の施錠と解錠とを行う鍵であり、本実施形態のキーボックス１は、この鍵１０８の保管に用いる。
【００３２】
また、ドア１０２としては、図７に示す構成のほかに、図８に示すように、外周部に煙返し（かぶせともいわれる）１０９を備える形式のドア１０２もある。
【００３３】
本実施形態のキーボックス１は、図１乃至図３に示すように、鍵１０８を取り出し可能に保管する容器であるキーボックス本体２と、キーボックス本体２の後面側に設けられて、スチール製のドア１０２に対する付着力を備える付着手段としての磁石３と、設定された長さ寸法を有して、長手方向の中間部に隙間配置部５を備え且つ長手方向の一端側がキーボックス本体２に取り付けられた繋ぎ部材４と、繋ぎ部材４の長手方向の他端側に取り付けられたアンカー部材６とを備えた構成とされている。
【００３４】
キーボックス本体２は、たとえば、上下方向寸法と左右方向寸法に比して前後方向寸法が小さい、扁平した略直方体形状とされていて、内部に鍵１０８を収納する収納空間７を備えている。また、キーボックス本体２は、たとえば、前面側に、収納空間７の前側を外部に連通させる開口部８と、開口部８を開閉する蓋９とを備えた構成とされている。
【００３５】
更に、キーボックス本体２は、図示しないが、蓋９を開口部８を塞ぐ閉止姿勢で保持する機能を有する保持手段と、蓋９の閉止姿勢での保持を解除して蓋９を開動作可能にする機能を有する解除手段とを備えている。
【００３６】
なお、前記機能を有する保持手段および解除手段としては、従来のキーボックスや各種保管庫などで蓋の閉止姿勢での保持と、蓋の閉止姿勢の解除とに用いられている手段を採用してよい。たとえば、保持手段および解除手段としては、一般的に使用されている機械式の錠や電子錠を採用すればよい。
【００３７】
また、たとえば、保持手段は、蓋９と、キーボックス本体２内における開口部８付近の固定部に、係止爪と係止部の組を備えて、蓋９を開いた姿勢から閉止姿勢にすると、係止爪が係止部に係止される構成としてもよい。この場合、解除手段は、係止爪の係止部に対する係止を強制的に外す機能を備えるものとすればよい。
【００３８】
更に、キーボックス本体２は、図１に破線で示すように、一端側がキーボックス本体２内の接続部１０に接続されていて且つ収納空間７に収納可能な索状物１１と、索状物１１の他端側に取り付けられた鍵保持具１２とを備えた構成とすることが好ましい。この構成によれば、鍵保持具１２に鍵１０８を取り付けることで、鍵１０８を、鍵保持具１２と索状物１１を介してキーボックス本体２に連結することができる。したがって、この構成では、キーボックス本体２から鍵１０８を取り出した者が鍵１０８を返却し忘れて持ち帰るといった問題や、鍵１０８を紛失するといった問題の発生を防止することができる。
【００３９】
なお、キーボックス本体２は、前記索状物１１と鍵保持具１２を備える構成に限定されるものではなく、収納空間７に鍵１０８を取り外し可能な状態で収納する構成としてもよいことは勿論である。
【００４０】
キーボックス本体２の後側面には、図２乃至図４に示すように、前方に向けて窪む溝１３が、左右方向の全長に亘り設けられている。溝１３の上下方向の幅および前後方向の深さは、繋ぎ部材４の後述する断面形状における上下方向の幅、および、それに直交する方向の厚み寸法に対応して設定されている。
【００４１】
溝１３における左右方向の一個所には、繋ぎ部材４の長手方向の一端側を取り付ける取付部１４が設けられている。この取付部１４の具体的な構成については後述する。
【００４２】
キーボックス本体２の後側面には、溝１３および取付部１４と干渉しない配置で、マグネットシートとも称される柔軟性（可撓性）を有するシート状の磁石３が取り付けられている。図２、図３では、キーボックス本体２の後側面における溝１３の上下両側に磁石３が取り付けられた構成が示してある。
【００４３】
これにより、キーボックス本体２は、図７、図８に示すように、後面側を、磁石３の磁力によりスチール製としてあるドア１０２に吸着（付着）させて取り付けることができる。
【００４４】
なお、前記のように磁石３として柔軟なシート状のものを使用することは、磁石３がドア１０２に直接触れてもドア１０２には傷が生じにくいという点、および、キーボックス本体２における磁石３の取り付け部分の構造を単純化できるという点で好適である。
【００４５】
しかし、磁石３としては、硬質の磁石３を用いてもよいことは勿論である。なお、硬質の磁石３を用いる場合は、硬質の磁石３がドア１０２に直接触れると、ドア１０２に傷が生じる虞が生じる。よって、この場合は、キーボックス本体２の後面側に取り付けられた硬質の磁石３の表面を、樹脂やゴムのような保護材で覆った構成として、本実施形態のキーボックス本体２の後面側をドア１０２に取り付けるときに、硬質の磁石３がドア１０２に直接触れないようにすればよい。
【００４６】
繋ぎ部材４は、長手方向中間部に備えた隙間配置部５が、図７、図８に示すように、ドア１０２を閉めた状態のときにドア１０２とドア枠１０３との間に形成される隙間に配置可能な厚み寸法を備えている。
【００４７】
なお、ドア１０２とドア枠１０３との間の隙間とは、ドア１０２の外周面と、それに対向するドア枠１０３の内側面との間の隙間に加えて、ドア枠１０３における戸当たり１０５と、それに対向配置されるドア１０２の外周縁部との間の隙間も含む。更に、図８に示すように、ドア１０２が煙返し１０９を備えている場合は、前記した部分に加えて、煙返し１０９と、それに対向する配置となるドア枠１０３の開口の周縁部との間の隙間も含む。
【００４８】
したがって、ドア１０２とドア枠１０３との間の隙間の寸法は、部分ごとに変化することがある。このため、隙間配置部５の厚み寸法は、隙間配置部５の全長に亘り、ドア１０２とドア枠１０３の間の隙間の最小の寸法に対応して設定されている。
【００４９】
また、繋ぎ部材４の隙間配置部５は、図７、図８に示すように、ドア１０２とドア枠１０３の隙間の屈曲形状に倣って、あるいは、ドア１０２の外周部における一方の面から他方の面に至る屈曲した外形に沿って屈曲可能な柔軟性を備えている。
【００５０】
ところで、本実施形態のキーボックス１を使用するときには、隙間配置部５は、ドア１０２を閉める操作に伴ってドア１０２とドア枠１０３との間に挟まれ、最終的にドア１０２が閉まったときに、図７、図８に示したように、ドア１０２とドア枠１０３の隙間に配置される。したがって、隙間配置部５が、たとえば、繊維を編んだ構造など、外力によって厚みが圧縮される構造や性質を備えている場合は、隙間配置部５は、外力がかかっていない状態のときに、ドア１０２とドア枠１０３の隙間の寸法よりも大きな厚み寸法を有するものであってもよい。
【００５１】
なお、ドア１０２の厚みやドア枠１０３の形式などに応じて、ドア１０２とドア枠１０３の隙間の水平方向の全長は変化するので、隙間配置部５の長さは、図７、図８に示すように、前記隙間の全長に、設定された余裕分を足した寸法に設定されている。
【００５２】
繋ぎ部材４は、少なくとも隙間配置部５が、ドア１０２およびドア枠１０３の表面よりも柔らかい材質や構造とされていることが好ましい。このようにすれば、本実施形態のキーボックス１では、ドア１０２を開閉するときに、繋ぎ部材４の隙間配置部５がドア１０２やドア枠１０３に接触した状態で動くとしても、ドア１０２やドア枠１０３に繋ぎ部材４の隙間配置部５との接触に起因する傷が発生することを抑制できる。
【００５３】
また、繋ぎ部材４の耐久性の向上化を図るという観点から考えると、繋ぎ部材４は、少なくとも隙間配置部５が、屈曲と伸展とを繰り返し行っても強度低下が生じにくい性質を備えることが好ましい。
【００５４】
更に、繋ぎ部材４の不正な切断を防ぐという観点から考えると、繋ぎ部材４は、引っ張り強度が高ければ高いほど好ましく、また、はさみ、カッター、ナイフのような一般に使用されている刃物では切ることが困難な材質や構造を備えることが好ましい。
【００５５】
前記した柔軟性、および、その他の機能、性能を備える繋ぎ部材４としては、たとえば、繊維を編んだ構造を備えるものであることが好適である。このように、繋ぎ部材４が繊維を編んだ構造を備えるものとする場合は、たとえば、アラミド繊維や超高分子量ポリエチレン繊維のような所謂高強度繊維や、金属の繊維を、一部に編み込んだ構造としたり、全部をこれらの繊維で編んだ構造としてもよいことは勿論である。
【００５６】
以上の点に鑑みて、本実施形態では、繋ぎ部材４は、隙間配置部５が、前記所定の厚み寸法で、上下方向に設定された幅寸法を備えた繊維を編んで形成されたベルト（帯状体）とされている。このように、繋ぎ部材４を上下方向に幅広のベルトとすることは、前記所定の厚み寸法という条件を満たしつつ、隙間配置部５の断面積を拡大するのに有効である。
【００５７】
繋ぎ部材４は、図４に示すように、長手方向の一端側に、上下方向に貫通するループ部１５を備えている。このループ部１５は、隙間配置部５に一連に繋がるベルトの素材を折り返すと共に、折り返した端部をベルト素材の途中位置に縫い付けるか接合して形成されている。
【００５８】
キーボックス本体２における取付部１４は、図４、図５に示すように、溝１３の左右方向の途中位置に、溝１３の前側に位置する壁面（後方から見て溝１３の奥側に位置する壁面）からキーボックス本体２の内側に向けて窪む凹部１６を備えている。凹部１６の上端側と下端側は、キーボックス本体２の内部空間に連通する開口１７ａ，１７ｂとされている。
【００５９】
凹部１６の内側には、繋ぎ部材４のループ部１５がキーボックス本体２の後方から挿入して配置され、この状態で、ループ部１５には、キーボックス本体２の内側から、上下方向に延びるピン１８が挿通して配置されている。
【００６０】
ピン１８の下端側は、開口１７ｂよりも下方に突出するよう配置されていて、ピン１８の下端部が、キーボックス本体２の内部で凹部１６の下側に設けられた受け部１９の上面側に受けられている。
【００６１】
ピン１８の上端側は、開口１７ａより上方に突出するように配置されている。キーボックス本体２の内部における凹部１６の上側となる位置には、ピン１８の上端側に近接するか、または、接する配置で、抜け止め部材２０が、取り外し可能に取り付けられている。なお、前記したようにキーボックス本体２には図示しない保持手段や解除手段を備えているので、この保持手段や解除手段を構成する機器や部材が、抜け止め部材２０を兼ねる構成としてもよい。
【００６２】
これにより、取付部１４では、繋ぎ部材４の一端側のループ部１５が、ピン１８を介してキーボックス本体２に取り付けられる。
【００６３】
この状態で、繋ぎ部材４は、溝１３の内側を通して、キーボックス本体２の左右方向の片側から突出するように配置することができる。なお、繋ぎ部材４は、ループ部１５をピン１８の外周で左右方向に回動させることができる。このため、本実施形態のキーボックス１では、繋ぎ部材４を、図１に実線で示すようにキーボックス本体２の左側へ突出させて配置する状態と、二点鎖線で示すようにキーボックス本体２の右側へ突出させて配置する状態とを、繋ぎ部材４に対し急角度で折り曲げるというような負担をかけることなく、容易に切り替えることができる。これにより、本実施形態のキーボックス１は、左開きのドア１０２と、図示しない右開きのドアのいずれにも容易に適用することができる。
【００６４】
また、取付部１４では、キーボックス本体２の内側で、図５に示した抜け止め部材２０を取り外してピン１８を凹部１６の上方に抜いて取り外すことにより、繋ぎ部材４のループ部１５は、キーボックス本体２から取り外すことが可能になる。このため、たとえば、繋ぎ部材４に摩耗や傷などの損傷が生じた場合は、その損傷した繋ぎ部材４を取り外して、新たな繋ぎ部材４と交換することが容易に実施できる。
【００６５】
アンカー部材６は、図１、図２、図７、図８に示すように、ドア１０２を閉めた状態のときのドア１０２とドア枠１０３の隙間を通過し得ないサイズを備えた部材である。
【００６６】
本実施形態では、アンカー部材６は、磁力によりドア１０２に吸着する磁石とされている。
【００６７】
アンカー部材６を繋ぎ部材４の長手方向の他端側に取り付ける構成は、たとえば、繋ぎ部材４の隙間配置部５に一連に繋がるベルトの素材を、アンカー部材６を挟んで折り返すと共に、折り返した端部とアンカー部材６の上下両側を、ベルト素材の途中の対応する位置に縫い付けるか接合して形成されている。
【００６８】
なお、繋ぎ部材４の長手方向の他端側にアンカー部材６を取り付ける別の構成としては、たとえば、隙間配置部５に一連に繋がるベルトの素材を折り返すと共に、折り返した部分の上下両側を、ベルト素材の途中の対応する位置に縫い付けるか接合して、繋ぎ部材４の他端側に、他端部とは逆側に向く開口を備えたポケット状の構造を形成し、このポケット状構造に、アンカー部材６を挿入して保持させた構成としてもよい。
【００６９】
これらの構成によれば、アンカー部材６がベルトの素材によって覆われるので、アンカー部材６として硬質の磁石を用いる場合であっても、この硬質の磁石がドア１０２に直接触れることを防ぐことができる。よって、アンカー部材６をドア１０２に保持させることに伴って、ドア１０２に傷が生じる虞を抑制することができる。
【００７０】
以上の構成としてある本実施形態のキーボックス１を使用する場合は、図６、図７に示すように、キーボックス本体２を、後面側の磁石３により、ドア１０２における出入口１０１の外側に向く面に、ヒンジ１０４から離反する側の端に寄せた配置で取り付ける。また、ドア１０２を開いた状態で、図７に示すように、繋ぎ部材４を、ドア１０２の端を迂回させるように配置すると共に、磁石としてあるアンカー部材６を、ドア１０２における出入口１０１の内側に向く面に取り付ける。
【００７１】
この状態で、ドア１０２を閉じると、繋ぎ部材４の隙間配置部５がドア１０２とドア枠１０３の隙間に配置された状態になり、この状態で、本実施形態のキーボックス１は、ドア１０２に対し設置されて鍵１０８の保管が可能な状態になる。
【００７２】
なお、本実施形態のキーボックス１は、図８に示すように、ドア１０２が、煙返し１０９を備えた形式のドア１０２であっても、繋ぎ部材４の隙間配置部５が、ドア１０２の外周部における一方の面から他方の面に至る煙返し１０９を含む外形に沿って屈曲した形状になるので、何ら支障なく取り付けを行うことができる。
【００７３】
次に、ドア１０２の施錠を行い、その施錠に用いた鍵１０８を、キーボックス本体２の蓋９が開かれた状態の開口部８から収納空間７へ入れ、次いで、蓋９を開口部８を塞いだ閉止姿勢として図示しない保持手段により保持させる。これにより、鍵１０８は、キーボックス本体２の収納空間７にて保管される。
【００７４】
このように、本実施形態のキーボックス１は、ドア１０２に取り付けて、そのドア１０２の施錠と解錠に用いる鍵１０８の保管に用いることができる。
【００７５】
ところで、キーボックス本体２は、磁石３によりドア１０２に取り付けられているものであるため、磁石３のドア１０２に対する吸着力よりも大きな力を加えれば、キーボックス本体２をドア１０２から剥がすことは可能である。しかし、キーボックス本体２には、ドア１０２とドア枠１０３の隙間に通して配置された繋ぎ部材４を介して、ドア１０２の内側に配置されたアンカー部材６が取り付けられており、このアンカー部材６は前記隙間を通してドア１０２の外側に引き出すことはできない。よって、本実施形態のキーボックス１は、キーボックス本体２に保管された鍵１０８は不正な持ち去りを防止することができる。
【００７６】
なお、繋ぎ部材４を無理に切断すれば、キーボックス本体２に保管されている鍵１０８の不正な持ち去りは可能となり、また、キーボックス本体２を破壊すれば、鍵１０８を取り出して不正使用が可能にはなるが、そもそもこのような破壊操作を伴う鍵１０８の持ち去りや不正使用は、従来のキーボックスでも生じ得ることであって、本実施形態のキーボックス１のみに生じ得るものではない。
【００７７】
その後、本実施形態のキーボックス１による鍵１０８の保管が不要になった場合は、ドア１０２を開けた状態で、キーボックス本体２およびアンカー部材６を、ドア１０２から取り外すと共に、本実施形態のキーボックス１からの鍵１０８の取り外しを行えばよい。
【００７８】
このように、本実施形態のキーボックス１は、キーボックス本体２とアンカー部材６のドア１０２への取り付けは磁力による吸着で行うものとしてあるため、本実施形態のキーボックス１をドア１０２に設置する作業、および、ドア１０２から撤去する作業は、従来のキーボックスの取り付け手段、すなわち、ねじやボルトを用いる手段や、接着剤を用いる手段に比して、手間の削減化を図ることができて、容易なものとすることができる。また、本実施形態のキーボックス１は、ドア１０２から撤去を行った後、ドア１０２に、前記従来の取り付け手段で生じていたような傷や汚れが残ることを抑制することができる。
【００７９】
［第２実施形態］
図９はキーボックスの第２実施形態を示すもので、図７に対応する図である。
【００８０】
なお、図９において、第１実施形態と同一のものには同一符号を付して、その説明を省略する。
【００８１】
本実施形態のキーボックスは、図９に符号１Ａで示すもので、第１実施形態と同様の構成において、キーボックス本体２の後側面に、付着手段として、磁石３に代えて、吸着シート２１を備えた構成とされている。
【００８２】
吸着シート２１は、ドア１０２や、ドア１０２の周囲のドア枠１０３や壁１００に対して剥離可能に吸着する機能を備えるものである。吸着シート２１は、ドア１０２やドア枠１０３や壁１００におけるキーボックス本体２の設置を望む個所の表面を被着面として、キーボックス本体２と収納空間７に収納された鍵１０８の重量、更には、繋ぎ部材４の重量を支持可能な吸着力（付着力）を発揮することができ、且つ被着面と吸着シート２１の双方に損傷を生じさせることなく剥離可能なものであれば、被着面に対して吸着する形式は、素材の有する粘着力によるもの、表面に備えた微小なセルが微小な吸盤として機能するものなど、任意の形式のものを採用してよい。
【００８３】
また、本実施形態では、アンカー部材６ａは、磁石に代えて、ドア１０２とドア枠１０３の隙間を通過し得ないサイズで、少なくとも１つの平坦面２３を備えた本体２２と、本体２２の平坦面２３に取り付けられた吸着シート２４とを備えた構成とされている。
【００８４】
なお、この吸着シート２４は、キーボックス本体２の後側面に取り付けられた吸着シート２１と同様のものとすればよい。
【００８５】
本実施形態では、繋ぎ部材４の長手方向の他端側は、アンカー部材６ａにおける前記吸着シート２４が取り付けられた平坦面とは、干渉しない配置で取り付けられていればよい。
【００８６】
以上の構成としてある本実施形態のキーボックス１Ａは、吸着シート２１，２４が吸着可能であれば、キーボックス本体２およびアンカー部材６ａを、ドア１０２、ドア１０２の周囲のドア枠１０３や壁１００に取り付けて使用することができる。
【００８７】
たとえば、図９に示すように、キーボックス本体２は、ドア１０２付近で出入口１０１の外側に向いた壁１００に吸着シート２１を介して取り付けることができ、また、アンカー部材６ａは、ドア１０２付近で出入口１０１の内側に向いた壁１００に吸着シート２４により取り付けることができる。
【００８８】
なお、本実施形態のキーボックス１Ａは、図示しないが、第１実施形態のキーボックス１と同様に、キーボックス本体２およびアンカー部材６ａをドア１０２に取り付けて使用するようにしてもよいことは勿論である。
【００８９】
このように、本実施形態のキーボックス１Ａは、キーボックス本体２とアンカー部材６ａのドア１０２付近の壁１００への取り付けは、吸着シート２１，２４による吸着で行うようにしてある。したがって、本実施形態のキーボックス１Ａによっても、第１実施形態と同様に、本実施形態のキーボックス１Ａの設置と撤去に要する手間の削減化を図ることができると共に、撤去後に傷や汚れが残ることを抑制することができる。
【００９０】
なお、本発明は、前記各実施形態にのみ限定されるものではなく、各図に示した各構成部材の寸法や各構成部材同士の寸法比は、図示するための便宜上のものであり、実際の寸法や寸法比を反映したものではない。
【００９１】
キーボックス本体２の形状（外形）、開口部８の形状、蓋９の形状は、保管対象となる鍵１０８をキーボックス本体２内の収納空間７に収納することができるようにしてあれば、図示した以外の任意の形状としてもよいことは勿論である。
【００９２】
キーボックス本体２は、鍵１０８を取り出し可能に収納する機能を備えていれば、開口部８の配置は、前面側に限られるものではない。
【００９３】
繋ぎ部材４は、長手方向中間部の隙間配置部５が、ドア１０２とドア枠１０３との隙間に配置可能な厚み寸法を有し、また、図７、図８、図９に示したように、出入口１０１の外側に向けてキーボックス本体２が取り付けられる位置から出入口１０１の内側に向けてアンカー部材６，６ａが取り付けられる位置まで配置可能な機能を備えていれば、図示した以外の任意の構成を使用してもよい。たとえば、隙間配置部５は、複数本のベルトとしてもよいし、単数の紐や複数本の紐による構成としてもよい。
【００９４】
また、繋ぎ部材４は、繊維を編んだものではなく、たとえば、樹脂製の帯状体であってもよい。
【００９５】
本発明のキーボックス１，１Ａの使用時に、キーボックス本体２における繋ぎ部材４の取付部１４を外部から見えにくくする、という観点から考えると、繋ぎ部材４の長手方向一端側は、キーボックス本体２の後側面に取り付けることが好ましいが、キーボックス本体２における繋ぎ部材４を取り付ける個所は、後側面以外であってもよい。
【００９６】
また、繋ぎ部材４の長手方向一端側をキーボックス本体２に取り付けることができれば、取付部１４の構成は、図４、図５に示した構成以外の任意の構成を採用してもよいことは勿論である。
【００９７】
繋ぎ部材４の長手方向他端側にアンカー部材６を取り付けることができれば、その取り付け部分は、図示した以外の任意の構成を採用してもよいことは勿論である。
【００９８】
アンカー部材６，６ａの形状やサイズは、図示したものに限定されるものでないことは勿論である。
【００９９】
本発明のキーボックス１，１Ａは、ドア１０２とドア枠１０３との間に繋ぎ部材４を通して配置可能な隙間が存在していれば、ドア１０２におけるヒンジ１０４が設けられている側に取り付けて使用してもよい。この場合は、鍵１０８に接続する索状物１１を長くして、鍵１０８を錠１０７の位置まで移動できるようにしておけばよい。
【０１００】
本発明のキーボックス１，１Ａは、内開きのドア１０２に取り付けて使用してもよい。更には、ドアを閉じた状態で、ドアとドア枠との間に繋ぎ部材４を通して配置可能な隙間が存在していれば、引き戸式のドアに適用することも可能である。
【０１０１】
本発明のキーボックス１，１Ａに収納して保管する対象となる鍵１０８は、カードキーであってもよい。
【０１０２】
また、本発明のキーボックス１，１Ａは、ドア１０２の施錠、解錠のための鍵１０８であって、無人での貸し出しが望まれる鍵１０８であれば、たとえば、ビル内における貸し会議室の鍵１０８や、その他、内覧の対象となる空き住宅以外の鍵１０８の保管に適用してもよい。
【０１０３】
その他本発明の要旨を逸脱しない範囲内で種々変更を加え得ることは勿論である。
【符号の説明】
【０１０４】
２  キーボックス本体
３  磁石（付着手段）
４  繋ぎ部材
５  隙間配置部
６，６ａ  アンカー部材
２１  吸着シート（付着手段）
１０２  ドア
１０３  ドア枠
１０８  鍵
【図１】
2018197441.tif 000003
【図２】
2018197441.tif 000004
【図３】
2018197441.tif 000005
【図４】
2018197441.tif 000006
【図５】
2018197441.tif 000007
【図６】
2018197441.tif 000008
【図７】
2018197441.tif 000009
【図８】
2018197441.tif 000010
【図９】
2018197441.tif 000011